(57)【特許請求の範囲】
【請求項１】
傷やほこりの付いた写真フィルムを外部装置にて読み取って得られる原画像を修正する画像修正装置であって、
上記原画像を縮小する縮小手段と、
縮小画像における修正すべき第１領域を指定する指定手段と、
上記縮小画像に対して修正処理を行う修正手段であって、上記縮小画像中で指定された上記第１領域のみ修正する修正手段とを備え、
上記修正手段は、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正することを特徴とする画像修正装置。
【請求項２】
修正後の上記縮小画像を元の原画像サイズに拡大する拡大手段と、
上記第１領域と拡大画像で対応する第２領域のみ、上記原画像と位置が対応するように合成する合成手段とをさらに備えていることを特徴とする請求項１に記載の画像修正装置。
【請求項３】
上記原画像中で上記傷やほこりに対応する画像の位置を入力する入力手段をさらに備え、
上記合成手段は、上記入力手段によって入力された位置における輝度値から予め定められた閾値を減算し、該減算により得られた差にランダム雑音を加算することにより変化率係数を算出し、該変化率係数を混合比率として上記第２領域と上記原画像とを合成することを特徴とする請求項２に記載の画像修正装置。
【請求項４】
傷やほこりの付いた写真フィルムを外部装置にて読み取って得られる原画像を縮小する第１の工程と、
縮小画像における修正すべき第１領域を指定する第２の工程と、
上記縮小画像に対して修正処理を行う工程であって、上記縮小画像中で指定された上記第１領域のみ修正する第３の工程とを有し、
上記第３の工程において、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正することを特徴とする画像修正方法。
【請求項５】
修正後の上記縮小画像を元の原画像サイズに拡大する第４の工程と、
上記第１領域と拡大画像で対応する第２領域のみ、上記原画像と位置が対応するように合成する第５の工程とをさらに有していることを特徴とする請求項４に記載の画像修正方法。
【請求項６】
上記第５の工程は、上記原画像中で上記傷やほこりに対応する傷部の位置を入力した後、入力された位置における輝度値から予め定められた閾値を減算し、該減算により得られた差にランダム雑音を加算することにより変化率係数を算出し、該変化率係数を混合比率として上記第２領域と上記原画像とを合成する工程であることを特徴とする請求項５に記載の画像修正方法。
【請求項７】
傷やほこりの付いた写真フィルムを外部装置にて読み取って得られる原画像を縮小する処理と、
縮小画像における修正すべき領域を指定する処理と、
上記縮小画像に対する修正処理であって、上記修正すべき領域の各注目画素に対し、該注目画素を含み大きさが変化する可変型マスクを、該可変型マスク内に存在し、かつ、上記修正すべき領域外に位置する画素を正常画素とし、該正常画素の数が予め定められた値以上となるまで拡大し、拡大された該可変型マスク内の正常画素の画像データを用いて該注目画素の画像データを修正する処理と、をコンピュータに実行させるための画像修正プログラムを記録した記録媒体。
【請求項８】
傷やほこりの付いた写真フィルムを外部装置にて読み取って得られる原画像を修正する画像修正装置であって、
上記原画像を縮小する縮小手段と、
縮小画像における修正すべき第１領域を指定する指定手段と、
上記縮小画像に対して修正処理を行う修正手段であって、上記縮小画像中で指定された上記第１領域のみ修正する修正手段と、
修正後の上記縮小画像を元の原画像サイズに拡大する拡大手段と、
上記第１領域と拡大画像で対応する第２領域のみ、上記原画像と位置が対応するように合成する合成手段とを備えていることを特徴とする画像修正装置。
【請求項９】
傷やほこりの付いた写真フィルムを外部装置にて読み取って得られる原画像を縮小する第１の工程と、
縮小画像における修正すべき第１領域を指定する第２の工程と、
上記縮小画像に対して修正処理を行う工程であって、上記縮小画像中で指定された上記第１領域のみ修正する第３の工程と、
修正後の上記縮小画像を元の原画像サイズに拡大する第４の工程と、
上記第１領域と拡大画像で対応する第２領域のみ、上記原画像と位置が対応するように合成する第５の工程と、を有していることを特徴とする画像修正方法。
【発明の詳細な説明】
【０００１】
【発明の属する技術分野】
本発明は、写真フィルムを読み取って得られる画像中に、写真フィルムに付いた傷やほこりに対応する画像が含まれている場合に、上記画像を修正する画像修正装置、画像修正方法および画像修正プログラムを記録した記録媒体に関するものである。
【０００２】
【従来の技術】
写真フィルムとしての例えばネガフィルムに記録された画像をスキャナで読み取り、得られた画像データに基づいて印画紙を露光するデジタルプリンタにおいて、上記ネガフィルムに傷が形成されていたり、表面にほこりが付着していたりすると、読み取り画像に上記傷やほこりに対応する画像が含まれるために、印画紙に焼き付けられる画像の品質が低下する。
【０００３】
そのため、従来では、例えばスキャナにて読み取った画像をオペレータがモニタにて確認し、傷やほこりに対応する画像の位置に新たな画像データを手動で入力することで上記画像の修正を行い、修正後の画像データに基づいて印画紙を露光するようにしていた。
【０００４】
【発明が解決しようとする課題】
ところが、上記従来の方法では、画像の修正を原画像サイズで行う、つまり、読み取った画像の大きさでそのまま行うため、修正すべき画素であって傷やほこりに対応する画像を構成する画素の数が多く、しかも、これらの画素の一つ一つに修正データを手動で入力しなければならない。このため、画像修正を迅速に行うことができない。
【０００５】
また、傷やほこりに対応する画像の位置に修正データをオペレータが手動で入力するにはかなりの熟練が必要であり、修正を行うオペレータが制限されてしまう。
【０００６】
本発明は、上記の問題点を解決するためになされたもので、その目的は、画像修正を迅速に、かつ、誰にでも簡単に行うことができる画像修正装置、画像修正方法および画像修正プログラムを記録した記録媒体を提供することにある。
【０００７】
【課題を解決するための手段】
本発明に係る画像修正装置は、上記の課題を解決するために、傷やほこりの付いた写真フィルムを外部装置（例えばフィルムスキャナ）にて読み取って得られる原画像を修正する画像修正装置であって、上記原画像を縮小する縮小手段と、縮小画像において修正すべき第１領域を指定する指定手段（例えばマウスやキーボード）と、上記縮小画像に対して修正処理を行う修正手段であって、上記縮小画像中で指定された上記第１領域のみ修正する修正手段とを備えていることを特徴としている。
【０００８】
ここで、上記修正手段は、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正するものである。
【０００９】
上記の構成によれば、縮小手段によって原画像が縮小されると、原画像に含まれる、写真フィルムに付いた傷やほこりに対応する画像（以下、傷部と称する）も縮小される。これによって、傷部を構成する画素数が低減される。そして、オペレータが、指定手段を介して例えば縮小画像における傷部を含む領域を第１領域として指定すれば、修正手段が例えばマスク処理（メディアンフィルター、移動平均フィルターなど）によって上記第１領域を修正する。これにより、上記第１領域内に含まれる傷部も必然的に修正される。
【００１０】
このように、上記構成では、画素数の減った状態で傷部を修正するので、画素数の多い原画像サイズで傷部を修正する場合に比べ、画像修正を迅速に行うことができる。しかも、傷部の修正は手動ではなく修正手段の演算で行うことが可能なので、画像修正の迅速化の効果をより一層高めることができる。
【００１１】
また、オペレータは、修正すべき第１領域を例えばマウスで指定するだけでよく、修正データを手動で入力したりする必要はない。したがって、修正を行うオペレータが熟練者に制限されてしまうことがなく、誰にでも簡単に画像修正を行うことができる。
【００１２】
しかも、上記の構成によれば、修正手段は、マスク内でかつ上記第１領域外に位置する画素（以下、正常画素と称する）の数が所定値（例えば１０）以上となるまでマスクの大きさを拡大していき、上記画素数が上記所定値以上となったとき、最大マスク内の正常画素の画像データを用い、例えばメディアンフィルター処理によって上記第１領域内の修正すべき画素（注目画素）の画像データを修正する。
【００１３】
ここで、マスクの大きさが例えば一定の場合、例えば上記第１領域内の注目画素を中心とするマスク内の正常画素の数は、上記注目画素の上記第１領域内での位置によって大きく変動する。つまり、注目画素が例えば上記第１領域のほぼ中心に位置しているときは、マスク内の正常画素数は少なくなる一方、注目画素が上記第１領域の端部に位置していればマスク内の正常画素数は多くなる。このように、注目画素の位置によってマスク内の正常画素数が大きく変動すると、当該正常画素の画像データに基づく注目画素の画像データの修正は、注目画素ごとに条件の大きく異なったものとなってしまい、結果的に注目画素ごとにむらのある修正となってしまう。
【００１４】
しかし、上記構成では、可変型マスクを用いることによって、注目画素の修正に用いる正常画素の数を各注目画素間でほぼ統一することができる。これにより、第１領域内の全ての注目画素をほぼ同じ条件で修正することができ、注目画素ごとに修正にむらが生じるのを回避することができる。
【００１５】
本発明に係る画像修正装置は、上記の課題を解決するために、上記画像修正装置において、修正後の上記縮小画像を元の原画像サイズに拡大する拡大手段と、上記第１領域と拡大画像で対応する第２領域のみ、上記原画像と位置が対応するように合成する合成手段とをさらに備えていることを特徴としている。
【００１６】
上記の構成によれば、修正後の縮小画像が拡大手段によって拡大されることにより、画像全体の画素数が縮小画像よりも増加される。これにより、拡大画像の画像データを用いて例えば写真焼付装置が印画紙を露光したときには、縮小画像の画像データを用いた場合よりもＤＰＩ（dot per inch）が増加し、印画紙に焼き付けられる画像の画質が高められることとなる。
【００１７】
ここで、上記の拡大処理は、例えば補間による画像データの穴埋めや画像データの引き伸ばしによって行われるため、拡大画像の画質は縮小画像よりは良いとは言っても、元の原画像と比べればどうしても落ちる。
【００１８】
そこで、上記構成では、合成手段によって、修正した上記第１領域と拡大画像で対応する第２領域のみ元の原画像と合成した合成画像が作成される。この合成画像では、合成領域以外は元の原画像となっているので、画質の低下が合成領域だけにとどめられ、それ以外の箇所は原画像の画質がそのまま保たれる。しかも、拡大画像は元の原画像と同じサイズに拡大されており、かつ、上記第２領域と元の原画像とが位置が対応するように合成されているので、合成領域の画像に位置ずれが生じることはなく、合成領域とその隣接領域とのつながりが極度に不自然となることもない。したがって、上記構成によれば、画像全体としての画質低下を回避することができ、原画像により近い画質を得ることができる。
【００１９】
本発明に係る画像修正装置は、上記の課題を解決するために、上記画像修正装置において上記原画像中で上記傷やほこりに対応する画像の位置を入力する入力手段をさらに備え、上記合成手段は、上記入力手段によって入力された位置における輝度値に基づいて決まる混合比率で、上記第２領域と上記原画像とを合成することを特徴としている。
【００２０】
すなわち、本発明に係る画像修正装置は、上記の課題を解決するために、上記画像修正装置において上記原画像中で上記傷やほこりに対応する画像の位置を入力する入力手段をさらに備え、上記入力手段によって入力された位置における輝度値から予め定められた閾値を減算し、該減算により得られた差にランダム雑音を加算することにより変化率係数を算出し、該変化率係数を混合比率として上記第２領域と上記原画像とを合成することが好ましい。
【００２１】
例えば、写真フィルムに浅い傷が形成されている場合には、上記傷と元の原画像上で対応する位置には、原画像の画像データも幾分存在している。そこで、上記構成では、入力手段によって原画像中で上記傷やほこりに対応する画像の位置を入力すると、合成手段が入力された傷位置における輝度値（例えばＲＧＢごとの画像データを足して３で割った値）に基づいて第２領域と元の原画像との混合比率を決め、この比率で上記両者を合成するので、傷位置に残っている原画像の画像データを合成後の画像に反映させることができる。これにより、合成後の画像をさらに原画像に近づけることができると共に、合成後の画像に違和感が生じるのを確実に抑えることができる。
【００２２】
本発明に係る画像修正方法は、上記の課題を解決するために、傷やほこりの付いた写真フィルムを外部装置にて読み取って得られる原画像を縮小する第１の工程と、縮小画像において修正すべき第１領域を指定する第２の工程と、上記縮小画像に対して修正処理を行う工程であって、上記縮小画像中で指定された上記第１領域のみ修正する第３の工程とを有していることを特徴としている。
【００２３】
ここで、上記第３の工程は、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正する工程である。
【００２４】
上記の構成によれば、原画像の縮小により、上記原画像に含まれる、写真フィルムに付いた傷やほこりに対応する画像（以下、傷部と称する）も縮小され、傷部を構成する画素数が低減される。そして、オペレータが、例えば縮小画像における傷部を含む領域を第１領域として指定すれば、例えばマスク処理（メディアンフィルター、移動平均フィルターなど）によって上記第１領域が修正される。これにより、上記第１領域内に含まれる傷部も必然的に修正される。
【００２５】
このように、上記構成では、画素数の減った状態で傷部を修正するので、画素数の多い原画像サイズで傷部を修正する場合に比べ、画像修正を迅速に行うことができる。しかも、傷部の修正は手動ではなく例えば演算で行うことが可能なので、画像修正の迅速化の効果をより一層高めることができる。
【００２６】
また、オペレータは、修正すべき第１領域を例えばマウスで指定するだけでよく、修正データを手動で入力したりする必要はない。したがって、修正を行うオペレータが熟練者に制限されてしまうことがなく、誰にでも簡単に画像修正を行うことができる。
【００２７】
しかも、上記の構成によれば、マスク内でかつ上記第１領域外に位置する画素（以下、正常画素と称する）の数が所定値（例えば１０）以上となるまでマスクが拡大され、上記画素数が上記所定値以上となったとき、最大マスク内の正常画素の画像データを用い、例えばメディアンフィルター処理によって上記第１領域内の修正すべき画素（注目画素）の画像データが修正される。
【００２８】
ここで、マスクの大きさが例えば一定の場合、例えば上記第１領域内の注目画素を中心とするマスク内の正常画素の数は、上記注目画素の上記第１領域内での位置によって大きく変動する。つまり、注目画素が例えば上記第１領域のほぼ中心に位置しているときは、マスク内の正常画素数は少なくなる一方、注目画素が上記第１領域の端部に位置していればマスク内の正常画素数は多くなる。このように、注目画素の位置によってマスク内の正常画素数が大きく変動すると、当該正常画素の画像データに基づく注目画素の画像データの修正は、注目画素ごとに条件の大きく異なったものとなってしまい、結果的に注目画素ごとにむらのある修正となってしまう。
【００２９】
しかし、上記構成では、可変型マスクを用いることによって、注目画素の修正に用いる正常画素の数を各注目画素間でほぼ統一することができる。これにより、第１領域内の全ての注目画素をほぼ同じ条件で修正することができ、注目画素ごとに修正にむらが生じるのを回避することができる。
【００３０】
本発明に係る画像修正方法は、上記の課題を解決するために、上記画像修正方法において、修正後の上記縮小画像を元の原画像サイズに拡大する第４の工程と、上記第１領域と拡大画像で対応する第２領域のみ、上記原画像と位置が対応するように合成する第５の工程とをさらに有していることを特徴としている。
【００３１】
上記の構成によれば、修正後の縮小画像が拡大されることにより、画像全体の画素数が縮小画像よりも増加される。これにより、拡大画像の画像データを用いて例えば写真焼付装置が印画紙を露光したときには、縮小画像の画像データを用いた場合よりもＤＰＩ（dot per inch）が増加し、印画紙に焼き付けられる画像の画質が高められることとなる。
【００３２】
ここで、上記の拡大処理は、例えば補間による画像データの穴埋めや画像データの引き伸ばしによって行われるため、拡大画像の画質は縮小画像よりは良いとは言っても、元の原画像と比べて落ちることがある。
【００３３】
そこで、上記構成では、修正した上記第１領域と拡大画像で対応する第２領域のみ元の原画像と合成した合成画像が作成される。この合成画像では、合成領域以外は元の原画像となっているので、画質の低下が合成領域だけにとどめられ、それ以外の箇所は原画像の画質がそのまま保たれる。しかも、拡大画像は元の原画像と同じサイズに拡大されており、かつ、上記第２領域と元の原画像とが位置が対応するように合成されているので、合成領域の画像に位置ずれが生じることはなく、合成領域とその隣接領域とのつながりが極度に不自然となることもない。したがって、上記構成によれば、画像全体としての画質低下を回避することができ、原画像により近い画質を得ることができる。
【００３４】
本発明に係る画像修正方法は、上記の課題を解決するために、上記画像修正方法において、上記第５の工程では、上記原画像中で上記傷やほこりに対応する傷部の位置を入力した後、入力位置における輝度値に基づいて決まる混合比率で、上記第２領域と上記原画像とを合成することを特徴としている。
【００３５】
すなわち、本発明に係る画像修正方法において、上記第５の工程は、上記原画像中で上記傷やほこりに対応する傷部の位置を入力した後、入力された位置における輝度値から予め定められた閾値を減算し、該減算により得られた差にランダム雑音を加算することにより変化率係数を算出し、該変化率係数を混合比率として上記第２領域と上記原画像とを合成する工程であることが好ましい。
【００３６】
例えば、写真フィルムに浅い傷が形成されている場合には、上記傷と元の原画像上で対応する位置には、原画像の画像データも幾分存在している。そこで、上記構成では、原画像中で上記傷やほこりに対応する画像の位置を入力すると、入力された傷位置における輝度値（例えばＲＧＢごとの画像データを足して３で割った値）に基づいて第２領域と元の原画像との混合比率を決め、この比率で上記両者を合成するので、傷位置に残っている原画像の画像データを合成後の画像に反映させることができる。これにより、合成後の画像をさらに原画像に近づけることができると共に、合成後の画像に違和感が生じるのを確実に抑えることができる。
【００３７】
本発明に係る画像修正プログラムを記録した記録媒体は、上記の課題を解決するために、傷やほこりの付いた写真フィルムを外部装置にて読み取って得られる原画像を縮小する処理と、縮小画像において修正すべき領域を指定する処理と、上記縮小画像中で指定された上記領域のみ修正する処理とをコンピュータに実行させるための画像修正プログラムを記録してなることを特徴としている。
【００３８】
ここで、上記縮小画像中で指定された上記領域のみ修正する処理は、上記修正すべき領域の各注目画素に対し、該注目画素を含み大きさが変化する可変型マスクを、該可変型マスク内に存在し、かつ、上記修正すべき領域外に位置する画素を正常画素とし、該正常画素の数が予め定められた値以上となるまで拡大し、拡大された該可変型マスク内の正常画素の画像データを用いて該注目画素の画像データを修正する処理である。
【００３９】
上記の構成によれば、このようなプログラムによってコンピュータ（例えば画像修正装置）を実行させたときには、原画像の縮小により、上記原画像に含まれる、写真フィルムに付いた傷やほこりに対応する画像（以下、傷部と称する）も縮小され、傷部を構成する画素数が低減される。そして、オペレータが、例えば縮小画像における傷部を含む領域を指定すれば、例えばマスク処理（メディアンフィルター、移動平均フィルターなど）によって上記領域が修正される。これにより、上記領域内に含まれる傷部も必然的に修正される。
【００４０】
このように、上記構成では、画素数の減った状態で傷部を修正するので、画素数の多い原画像サイズで傷部を修正する場合に比べ、画像修正を迅速に行うことができる。しかも、傷部の修正は手動ではなく例えば演算で行うことが可能なので、画像修正の迅速化の効果をより一層高めることができる。
【００４１】
また、オペレータは、修正すべき領域を例えばマウスで指定するだけでよく、修正データを手動で入力したりする必要はない。したがって、修正を行うオペレータが熟練者に制限されてしまうことがなく、誰にでも簡単に画像修正を行うことができる。
【００４２】
本発明の画像修正装置は、傷やほこりの付いた写真フィルムを外部装置にて読み取って得られる原画像を修正する画像修正装置であって、上記原画像を縮小する縮小手段と、縮小画像における修正すべき第１領域を指定する指定手段と、上記縮小画像に対して修正処理を行う修正手段であって、上記縮小画像中で指定された上記第１領域のみ修正する修正手段と、修正後の上記縮小画像を元の原画像サイズに拡大する拡大手段と、上記第１領域と拡大画像で対応する第２領域のみ、上記原画像と位置が対応するように合成する合成手段とを備えていることを特徴としている。
【００４３】
本発明の画像修正方法は、上記課題を解決するために、傷やほこりの付いた写真フィルムを外部装置にて読み取って得られる原画像を縮小する第１の工程と、縮小画像における修正すべき第１領域を指定する第２の工程と、上記縮小画像に対して修正処理を行う工程であって、上記縮小画像中で指定された上記第１領域のみ修正する第３の工程と、修正後の上記縮小画像を元の原画像サイズに拡大する第４の工程と、上記第１領域と拡大画像で対応する第２領域のみ、上記原画像と位置が対応するように合成する第５の工程と、を有していることを特徴としている。
【００４４】
【発明の実施の形態】
本発明の実施の一形態について、図１ないし図７に基づいて説明すれば、以下の通りである。
【００４５】
本実施形態に係るデジタル露光システムは、図１に示すように、フィルムスキャナ１と、画像修正装置２と、写真焼付装置３とで構成されている。
【００４６】
フィルムスキャナ１（外部装置）は、例えば、写真フィルムであるネガフィルムを介して得られる光をＣＣＤ（Charge Coupled Device ）等で受光することにより、ネガフィルムに記録された画像をＲ、Ｇ、Ｂごとに読み取ると共に、上記画像に応じた画像データをＲ、Ｇ、Ｂごとに画像修正装置２に出力するものである。ネガフィルムに傷が形成されていたり、ほこりが表面に付着していると、フィルムスキャナ１にて得られる画像は、図２に示すように、上記傷やほこりに対応する像である傷１５を含む傷付き原画像（以下、単に原画像と記載する）１６となる。
【００４７】
なお、ネガフィルムに形成される傷は、ネガフィルムの搬送時に搬送ローラ等との接触により形成される場合が多く、そのため、ネガフィルムの搬送方向に尾を引いて形成されるのが一般的である。したがって、原画像１６中の傷１５も、ネガフィルムの搬送方向に対応する方向に直線状に形成されている。
【００４８】
写真焼付装置３は、画像修正装置２からの画像データに基づいて感光材料である印画紙を露光することにより、印画紙上に画像を焼き付けるデジタルプリンタである。印画紙を露光する露光部としては、デジタル画像データに応じて印画紙への照射光を変調できるものであればよく、例えばＰＬＺＴ露光ヘッド、ＤＭＤ（デジタル・マイクロミラー・デバイス）、ＬＣＤ（液晶表示装置）、ＬＥＤパネル、レーザー、ＦＯＣＲＴ（Fiber Optic Cathode Ray Tube）、ＣＲＴ等で構成される。
【００４９】
なお、写真焼付装置３は、ネガフィルムのスキャニングと印画紙の露光とを両方行うことができる構成であってもよい。この場合、デジタル露光システムを画像修正装置２と写真焼付装置３とで構成することにより、システムの簡素化を図ることができる。
【００５０】
画像修正装置２は、フィルムスキャナ１にて読み取った画像中に傷１５が含まれている場合に、この傷１５を修正するものであり、原画像縮小部４、入力部５、傷領域修正部６、画像拡大部７、画像合成部８、再修正部９および調整部１０を備えている。
【００５１】
原画像縮小部４（縮小手段）は、フィルムスキャナ１にて得られた原画像１６を、例えばニアレストネイバー法により縮小し、図３に示す縮小画像１７を作成する。これにより、原画像１６中の傷１５は傷１８に縮小されることとなり、傷画素の画素数が減るので、後述する傷領域修正部６での修正処理を迅速に行うことが可能となる。また、ニアレストネイバー法を使用することにより、原画像１６における正常画素に傷画素の影響をなるべく与えないようにすることができる。上記の正常画素とは、修正されることのない画素、つまり、修正領域以外の画素を指す。なお、縮小方法は、このニアレストネイバー法に限定されるわけではない。
【００５２】
入力部５（指定手段、入力手段）は、縮小画像１７における修正すべき領域をオペレータが指定入力するためのものであり、例えばマウスやキーボードで構成される。入力部５により、修正すべき領域として例えば傷１８を含む領域１９（第１領域）が指定される。このように、傷１８よりも広い範囲を修正領域とすることにより、領域１９内の傷１８を確実に修正することが可能となる。
【００５３】
ここで、領域１９をあまりに広く設定したのでは、領域１９内の傷１８以外に修正される正常画素が多くなる。正常画素は、本来修正する必要のない画素であり、あまりに修正される正常画素数が多くなると、傷は修正できても領域１９内の傷以外の部分が元の原画像とは異なってしまい、かえって違和感が生じる場合がある。そのため、原画像に忠実に傷のない画像を再現するには、領域１９内の正常画素数がなるべく少なくなるように領域１９を設定することが好ましい。
【００５４】
傷領域修正部６（修正手段）は、入力部５によって指定された領域１９内の各画素に対し、マスクの大きさが変わる可変型マスクを使用して画像データの修正を行う。このように、傷領域修正部６は縮小画像１７に対して修正処理を行うので、原画像１６に対して修正処理を行う場合に比べ、使用するマスクのサイズが小さくて済む。この可変型マスクは、図４に示すように、領域１９内の所定の画素２０を中心にした菱形のマスクであり、この菱形の各対角線上に位置する画素が画素２０を中心にして上下左右に１個ずつ増えるように順に拡大するようになっている。
【００５５】
傷領域修正部６は、マスクを拡大していったときに、マスク内に存在し、かつ、領域１９より外側に位置する画素を正常画素とし、マスク内の正常画素数が所定値（例えば１０）以上となったとき、マスクの拡大をストップし、各マスクの各辺上に位置する正常画素の画像データを用いてメディアンフィルター処理を行う。メディアンフィルタ−処理とは、各マスクの各辺上に位置する正常画素の画像データを小さいほうから並べ、画素２０の画像データを、並べた画像データの中央値で置換する処理を言う。メディアンフィルター処理を行うことにより、周囲の正常画素の画像データをなるべく変化させることなく画像データの修正を行うことができる。
【００５６】
なお、マスクの大きさが一定の場合、領域１９内の画素２０を中心とするマスク内の正常画素の数は、上記画素２０の領域１９内での位置によって大きく変動する。その結果、正常画素の画像データに基づく画素２０の画像データの修正は、画素２０ごとに条件の大きく異なったものとなってしまい、結果的に画素２０ごとにむらのある修正となってしまう。しかし、本実施形態では、可変型マスクを用いることによって、画素２０の修正に用いる正常画素の数を、領域１９内での画素２０の位置に関係なく、ほぼ一様にすることができる。これにより、画素２０の位置によって修正にむらが生じるのを回避することができる。
【００５７】
ところで、上記メディアンフィルター処理にて得られた中央値を基本値とし、この基本値の輝度値（例えば（Ｒ＋Ｇ＋Ｂ）／３）を画素２０の輝度値から減算し、このときの差分が正のときに上記差分を画素２０の元のＲＧＢデータより減算して最終的なＲＧＢデータを設定するようにしてもよい。これにより、薄い白い傷１８が上にのっている画素の画像データを、正常画素の画像データにより近づけることができ、本実施形態ではこの手法を用いることにした。
【００５８】
ただし、上記の処理を領域で行っているため、あまりに大きな階調変換は、画像を拡大したときに画像に悪影響を及ぼすことがある。そこで、本実施形態では、上記差分の上限を所定値（例えば３０）に設定した。
【００５９】
ところで、上記の可変型マスクは、菱形ではなく円であってもよい。円形の可変型マスクを用いた場合は精度をさらに向上させることができるが、この場合、円周上の画素の座標の計算がその都度必要であり、処理にかなりの時間を要する。したがって、処理時間と精度との両面から考えると、可変型マスクは円形よりも菱形のほうが好ましい。また、本実施形態では、縮小画像１７に対して処理を行うことから、可変型マスクの上限（菱形の対角線上に位置する画素数）を例えば１７としている。
【００６０】
なお、最終的なマスクのサイズが大きければ大きいほど、画素２０に入力した画像データと周囲の正常画素の画像データとの整合が取れなくなってくる。また、ニアレストネイバー法で縮小画像１７を得ているため、後述する画像拡大部７にて修正後の縮小画像１７をこのまま拡大すると、画素補間データがおかしくなってしまう。
【００６１】
そこで、本実施形態では、領域１９内における傷１８の位置を入力部５によって入力すると、傷領域修正部６は、傷１８を構成する画素に対してのみ、周囲の画素との間で３×３の移動平均フィルターをかける処理を行っている。これにより、上記の不都合を少しでも改善するようにしている。
【００６２】
なお、上記の移動平均フィルターとは、各画素の係数が全て同じフィルターであり、この移動平均フィルタを用いてマスク処理することにより、注目画素のデータは、９つの画素の１／９データの合計で置換される。言い換えれば、注目画素のデータは、当該注目画素のデータと、８つの周辺画素の各データを足して９で割ったものとなる。
【００６３】
画像拡大部７（拡大手段）は、領域１９を修正した後の縮小画像１７を、例えばバイリニア法（双線形補間法）により、原画像１６と同じ大きさに拡大し、傷消し画像（拡大画像）を得るものである。バイリニア法を使用することにより、拡大時の画素補間データをなるべく良くし、原画像１６の画質に近づけることができる。なお、拡大処理はこのバイリニア法に限定されるわけではない。
【００６４】
画像合成部８（合成手段）は、上記傷消し画像における領域１９の拡大部分（第２領域）と原画像１６とを位置が対応するように合成し、図５に示す画像２１を作成する。画像２１中の領域２２は、領域１９の拡大部分と原画像１６との合成領域を示している。
【００６５】
縮小画像１７を上記の補間処理によって拡大すると、拡大画像である傷消し画像が全体的にぼやけてしまい、画像全体の画質がどうしても低下してしまう。しかし、領域１９の拡大部分のみ原画像１６と合成することにより、画質の低下を領域２２だけにとどめることができ、画像全体としての画質の低下を抑えることができる。
【００６６】
ここで、領域２２は上述のようにある程度ぼやけるため、原画像１６での傷１５の濃度分布によっては合成後の画像２１が不自然となる場合がある。
【００６７】
そこで、本実施形態では、入力部５により原画像１６の傷１５の位置を入力して以下の変化率係数を演算すると共に、この変化率係数に基づいて領域２２内の各画素の最終的な画像データをＲ、Ｇ、Ｂごとに得るようにしている。なお、この処理は、結局、原画像１６の傷１５の輝度値に基づいて決まる混合比率で領域１９の拡大部分と原画像１６とを合成している処理に過ぎない。
【００６８】
変化率係数＝原画像１６における傷１５を構成する注目画素の輝度値
−閾値（変化率係数が負の値にならないような値）
＋ランダム雑音
Ｒ値＝｛（５０−変化率係数）×注目画素のＲ値＋変化率係数×傷消し画像に        おける注目画素のＲ値｝÷５０
Ｇ値＝｛（５０−変化率係数）×注目画素のＧ値＋変化率係数×傷消し画像に        おける注目画素のＧ値｝÷５０
Ｂ値＝｛（５０−変化率係数）×注目画素のＢ値＋変化率係数×傷消し画像に        おける注目画素のＢ値｝÷５０
なお、上記の輝度値は、例えば上記注目画素におけるＲの画像データ（Ｒ値）、Ｇの画像データ（Ｇ値）、Ｂの画像データ（Ｂ値）を足して３で割った値である。また、合成後の注目画素が黒から白に急激に変化しないように、変化率係数に上限（例えば５０）を設けるようにしてもよい。
【００６９】
このように変化率係数をランダム雑音を考慮して設定することにより、上記変化率係数を常に変化させることができる。これにより、隣接する画素間で最終的に得られるＲ値、Ｇ値、Ｂ値を微妙に変化させることができ、ぼやけ具合の低減した、より自然に近い画像を得ることができる。また、傷１５の位置に残っている原画像１６の画像データが修正後の画像データに反映されているので、合成後の画像２１に違和感が生じるのを確実に抑えることができる。
【００７０】
また、最終的に得られるＲ値、Ｇ値、Ｂ値に対してさらにランダム雑音を加えるようにしてもよい。この場合、修正領域内の隣接する画素の画像データにさらに変化が付けられるので、修正領域におけるぼやけ具合をさらに解消して、合成部分のつながりをさらに自然に近づけた画像を得ることができる。
【００７１】
なお、合成画像を作成せずに上記した拡大画像の画像データだけに基づいて写真焼付装置３が印画紙を露光する構成も可能である。拡大画像では、画像全体の画素数が縮小画像１７よりも増加されているので、写真焼付装置３が印画紙を露光したときには、縮小画像１７の画像データを用いた場合よりもＤＰＩ（dot per inch）が増加し、印画紙に焼き付けられる画像の画質が高められることとなる。しかし、拡大画像の画質は縮小画像１７よりは良いとは言っても、元の原画像１６と比べればどうしても落ちる。これに対して、合成画像では、合成領域以外は原画像１６の画像そのままとなっているので、画質の低下が画像全体で起こることはない。したがって、合成画像の画像データに基づいて印画紙を露光することにより、原画像１６により近い画質の画像を得ることができる。
【００７２】
再修正部９は、画像２１の領域２２に残っている小さい傷の修正（削除）を行うものであり、例えば上述した可変型マスクを使用し、領域２２においてのみ、例えばメディアンフィルター処理を行う。原画像１６の傷１５が元々軽度であれば、画像２１はほとんど傷のない画像となっているが、傷１５が大きい、あるいは深いと、画像２１にて傷が十分に消えていない場合がある。そこで、再修正部９は、画像２１に傷が残っている場合のみ、上記の修正処理を行うようにしている。
【００７３】
なお、上記の傷が小さい傷の場合、サイズの小さいマスクでも十分に対応できる。そこで、本実施形態では、可変型マスクの大きさの上限を、画像２１のサイズに応じて例えば７（マスクの対角線上に位置する画素の数が７個）に設定している。
【００７４】
調整部１０は、画像２１において、領域２２内の画素と領域２２の外側の正常画素との間にまだ違和感がある場合に、領域２２内の画素であって、上記正常画素と隣接している画素に対してのみ移動平均フィルタ−をかけ、修正画素と正常画素とのつながり具合を調整する。
【００７５】
次に、上記構成を有する画像修正装置における動作について、主に図６および図７のフローチャートに基づいて以下に説明する。
【００７６】
フィルムスキャナ１にてネガフィルムに記録された画像が読み取られ、読み取った画像データがＲＧＢごとに原画像縮小部４に入力されると、原画像縮小部４は、ニアレストネイバー法により、原画像１６を縮小し、縮小画像１７を得る（ステップ１；以下、ステップは単にＳと略記する）。
【００７７】
次に、オペレータが、縮小画像１７において傷１８を含む領域１９を修正領域として例えばマウスにより指定入力すると（Ｓ２）、傷領域修正部６は、領域１９内の各画素２０に対し、可変型マスクを使用して以下のようにして画像データの修正を行う。
【００７８】
まず、傷領域修正部６は、領域１９内の画素２０から周囲の正常画素を探索する（Ｓ３）。このとき、傷領域修正部６は、菱形の対角線上に画素２０を中心に画素が３つ並ぶようなサイズのマスクをまず用い、このマスクの各辺上に位置する正常画素の数をカウントする。次に、傷領域修正部６は、マスクのサイズを１つ大きくして、つまり、マスクの対角線上に画素２０を中心に画素が５つ並ぶようなサイズのマスクを用い、上記と同様に上記マスクの各辺上の位置する正常画素の数をカウントする。傷領域修正部６は、このような処理を、各マスクにてカウントされた正常画素の数が合計例えば１０を越えるまで、対角線上の画素が２個ずつ増えるようにマスクを順に大きくしながら繰り返す。
【００７９】
なお、バランスを保つために、マスクの各辺上に位置する画素は、画素２０から等距離にあると考える。そのため、傷領域修正部６は、正常画素の合計数が１０を越えた時点で直ちに上記の処理を終了させるのではなく、各マスクでの正常画素数の合計を全マスクで足し合わせたときの数が１０を越えた時点で上記の処理を終了させる。したがって、探索後の正常画素数は１０以上になっているのが普通であり、探索を終了したときの探索の距離（マスクの大きさ）に応じて増加していく。
【００８０】
次に、傷領域修正部６は、探索が終了した時点のマスク内に存在する正常画素の画像データを用いて、メディアンフィルター処理を実行する（Ｓ４）。そして、傷領域修正部６は、上記処理の結果得られた値（中間値）を色調補正の基本値とし、この基本値の輝度値を用いて上述の方法によって画素２０のＲＧＢの値を決定する（Ｓ５）。このような処理を、領域１９内の画素全てに対して行う。
【００８１】
次に、傷領域修正部６は、修正後の縮小画像１７にまだ傷が残っているか否かを判断する（Ｓ６）。Ｓ６にて傷がないと判断した場合は、Ｓ１１に移行し、Ｓ６にて傷が残っていると判断した場合には、Ｓ７に移行する。
【００８２】
Ｓ７では、オペレータが、縮小画像１７において残っている傷１８を含む領域１９を修正領域として新たに指定入力する。したがって、既に消された傷１８は、ここでの修正対象にはならない。そして、傷領域修正部６は、Ｓ３、Ｓ４と同様の処理を行い（Ｓ８、Ｓ９）、Ｓ９でのメディアンフィルター処理にて得られた中央値を、領域１９内の注目画素２０の画像データと置換する（Ｓ１０）。これにより、Ｓ５の処理後に残っている傷１８が完全に削除される。そして、傷領域修正部６は、Ｓ２での領域１９内の各画素２０に対して３×３の移動平均フィルターをかけ、次段での画像拡大時に補間データが不適切とならないようにしておく（Ｓ１１）。
【００８３】
次に、画像拡大部７は、修正後の縮小画像１７を、バイリニア法により原画像１６の大きさに拡大する（Ｓ１２）。このとき、縮小画像１７中の領域１９も拡大される。拡大画像は、ぼやけてはいるが傷のない画像となっている。
【００８４】
次に、画像合成部８は、拡大画像のうち領域１９の拡大部分だけを、位置が対応するように原画像１６と合成し、画像２１を得る（Ｓ１３）。このとき、前述した方法によって上記両者の混合比率を変えることにより、画像２１における領域２２のぼやけ具合が改善される。さらに、画像合成部８は、領域２２のＲＧＢの各画像データにランダム雑音を加えることにより、領域２２におけるぼやけ具合がより一層改善される（Ｓ１４）。
【００８５】
次に、再修正部９は、領域２２内の各画素に対して上記と同様のメディアンフィルター処理を行う（Ｓ１５）。この処理によって、Ｓ１４までの処理を行ってもなお領域２２内に存在する小さい傷は確実に削除される。
【００８６】
その後、調整部１０は、領域２２における、正常画素と隣接した画素に対してのみ移動平均フィルターをかけ、領域２２とこれと隣接する領域との整合を図る（Ｓ１６）。そして、最後に、Ｓ１６にて得られた画像を図示しない記憶部に保存し（Ｓ１７）、上記した一連の処理を終了する。
【００８７】
以上のように、本発明は、原画像１６を縮小画像１７に縮小することによって、原画像１６中の傷１５を傷１８に縮小し、傷１８を含む領域１９に対して修正処理を行うことにより、上記傷１８を修正する構成である。このように、画素数の減った状態で傷１８を修正するので、原画像サイズで傷１５を修正する場合に比べ、画像修正を迅速に行うことができる。しかも、傷１８の修正は手動ではなく傷領域修正部６の演算で行うことができるので、画像修正の迅速化の効果をより一層高めることができる。
【００８８】
また、オペレータは、傷１８を含むように領域１９を指定するだけでよく、傷１８に修正データを手動で入力したりする必要はない。したがって、修正を行うオペレータが熟練者に制限されてしまうことがなく、誰にでも簡単に画像修正を行うことができる。
【００８９】
以上で説明した画像修正処理をコンピュータとしての画像修正装置２に実行させるためのプログラムを、光ディスク、光磁気ディスク等の記録媒体に記録しておき、このような記録媒体を用いて画像修正装置２を自動的に稼働させる構成としてもよい。
【００９０】
【発明の効果】
本発明に係る画像修正装置は、以上のように、原画像を縮小する縮小手段と、縮小画像において修正すべき第１領域を指定する指定手段と、上記縮小画像に対して修正処理を行う修正手段であって、上記縮小画像中で指定された上記第１領域のみ修正する修正手段とを備えている構成である。
【００９１】
それゆえ、画素数の減った状態で修正手段が傷部を修正するので、原画像サイズで傷部を修正する場合に比べ、画像修正を迅速に行うことができる。しかも、傷部の修正は手動ではなく修正手段の演算で行うことが可能なので、画像修正の迅速化の効果をより一層高めることができるという効果を奏する。
【００９２】
また、オペレータは、修正すべき第１領域を例えばマウスで指定するだけでよく、修正データを手動で入力したりする必要はない。したがって、修正を行うオペレータが熟練者に制限されてしまうことがなく、誰にでも簡単に画像修正を行うことができるという効果を併せて奏する。
【００９３】
しかも、本発明に係る画像修正装置において、上記修正手段は、以上のように、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正する。
【００９４】
それゆえ、可変型マスクを用いることによって、注目画素の修正に用いる正常画素の数を各注目画素間でほぼ統一することができる。これにより、第１領域内の全ての注目画素をほぼ同じ条件で修正することができ、上記の効果に加えて、注目画素ごとに修正にむらが生じるのを回避することができるという効果を奏する。
【００９５】
本発明に係る画像修正装置は、以上のように、上記の構成において、修正後の上記縮小画像を元の原画像サイズに拡大する拡大手段と、上記第１領域と拡大画像で対応する第２領域のみ、上記原画像と位置が対応するように合成する合成手段とをさらに備えている構成である。
【００９６】
それゆえ、合成手段によって作成される合成画像では、合成領域以外は元の原画像となっているので、画質の低下が合成領域だけにとどめられ、それ以外の箇所は原画像の画質がそのまま保たれる。しかも、拡大画像は元の原画像と同じサイズに拡大されており、かつ、上記第２領域と元の原画像とが位置が対応するように合成されているので、合成領域の画像に位置ずれが生じることはなく、合成領域とその隣接領域とのつながりが極度に不自然となることもない。したがって、上記構成によれば、上記の効果に加えて、画像全体としての画質低下を回避することができ、原画像により近い画質を得ることができるという効果を奏する。
【００９７】
本発明に係る画像修正装置は、以上のように、上記の構成において、上記原画像中で上記傷やほこりに対応する画像の位置を入力する入力手段をさらに備え、上記合成手段は、上記入力手段によって入力された位置における輝度値に基づいて決まる混合比率で、上記第２領域と上記原画像とを合成する構成である。
【００９８】
すなわち、本発明に係る画像修正装置は、以上のように、上記原画像中で上記傷やほこりに対応する画像の位置を入力する入力手段をさらに備え、上記合成手段は、上記入力手段によって入力された位置における輝度値から予め定められた閾値を減算し、該減算により得られた差にランダム雑音を加算することにより変化率係数を算出し、該変化率係数を混合比率として上記第２領域と上記原画像とを合成する。
【００９９】
それゆえ、入力手段によって原画像中で上記傷やほこりに対応する画像の位置を入力すると、合成手段が入力された傷位置における輝度値に基づいて第２領域と原画像との混合比率を決め、この比率で上記両者を合成するので、傷位置に残っている原画像の画像データを合成後の画像に反映させることができる。これにより、上記の効果に加えて、合成後の画像をさらに原画像に近づけることができると共に、合成後の画像に違和感が生じるのを確実に抑えることができるという効果を奏する。
【０１００】
本発明に係る画像修正方法は、以上のように、傷やほこりの付いた写真フィルムを外部装置にて読み取って得られる原画像を縮小する第１の工程と、縮小画像において修正すべき第１領域を指定する第２の工程と、上記縮小画像に対して修正処理を行う工程であって、上記縮小画像中で指定された上記第１領域のみ修正する第３の工程とを有している構成である。
【０１０１】
それゆえ、画素数の減った状態で傷部を修正するので、原画像サイズで傷部を修正する場合に比べ、画像修正を迅速に行うことができる。しかも、傷部の修正は手動ではなく修正手段の演算で行うことが可能なので、画像修正の迅速化の効果をより一層高めることができるという効果を奏する。
【０１０２】
また、オペレータは、修正すべき第１領域を例えばマウスで指定するだけでよく、修正データを手動で入力したりする必要はない。したがって、修正を行うオペレータが熟練者に制限されてしまうことがなく、誰にでも簡単に画像修正を行うことができるという効果を併せて奏する。
【０１０３】
しかも、本発明に係る画像修正方法は、以上のように、上記第３の工程において、上記第１領域内の各注目画素に対し、該注目画素を含み大きさが変化する可変型マスクを、該可変型マスク内に存在し、かつ、上記第１領域外に位置する画素を正常画素とし、該正常画素の数が予め定められた値以上となるまで拡大し、拡大された該可変型マスク内の正常画素の画像データを用いて該注目画素の画像データを修正する。
【０１０４】
それゆえ、可変型マスクを用いることによって、注目画素の修正に用いる正常画素の数を各注目画素間でほぼ統一することができる。これにより、第１領域内の全ての注目画素をほぼ同じ条件で修正することができ、上記の構成による効果に加えて、注目画素ごとに修正にむらが生じるのを回避することができるという効果を奏する。
【０１０５】
本発明に係る画像修正方法は、以上のように、上記の構成において、修正後の上記縮小画像を元の原画像サイズに拡大する第４の工程と、上記第１領域と拡大画像で対応する第２領域のみ、上記原画像と位置が対応するように合成する第５の工程とをさらに有している構成である。
【０１０６】
それゆえ、合成画像では、合成領域以外は元の原画像となっているので、画質の低下が合成領域だけにとどめられ、それ以外の箇所は原画像の画質がそのまま保たれる。しかも、拡大画像は元の原画像と同じサイズに拡大されており、かつ、上記第２領域と元の原画像とが位置が対応するように合成されているので、合成領域の画像に位置ずれが生じることはなく、合成領域とその隣接領域とのつながりが極度に不自然となることもない。したがって、上記構成によれば、上記の効果に加えて、画像全体としての画質低下を回避することができ、原画像により近い画質を得ることができるという効果を奏する。
【０１０７】
本発明に係る画像修正方法は、以上のように、上記の構成において、上記第５の工程では、上記原画像中で上記傷やほこりに対応する傷部の位置を入力した後、入力位置における輝度値に基づいて決まる混合比率で、上記第２領域と上記原画像とを合成する構成である。
【０１０８】
すなわち、本発明に係る画像修正方法における上記第５の工程は、上記原画像中で上記傷やほこりに対応する傷部の位置を入力した後、入力された位置における輝度値から予め定められた閾値を減算し、該減算により得られた差にランダム雑音を加算することにより変化率係数を算出し、該変化率係数を混合比率として上記第２領域と上記原画像とを合成する工程である。
【０１０９】
それゆえ、原画像中で上記傷やほこりに対応する画像の位置を入力すると、入力された傷位置における輝度値に基づいて第２領域と原画像との混合比率を決め、この比率で上記両者を合成するので、傷位置に残っている原画像の画像データを合成後の画像に反映させることができる。これにより、上記の効果に加えて、合成後の画像をさらに原画像に近づけることができると共に、合成後の画像に違和感が生じるのを確実に抑えることができるという効果を奏する。
【０１１０】
本発明に係る画像修正プログラムを記録した記録媒体は、以上のように、傷やほこりの付いた写真フィルムを外部装置にて読み取って得られる原画像を縮小する処理と、縮小画像において修正すべき領域を指定する処理と、上記縮小画像に対する修正処理であって、上記縮小画像中で指定された上記領域のみ修正する処理とをコンピュータに実行させるための画像修正プログラムを記録してなる構成である。
【０１１１】
ここで、上記縮小画像中で指定された上記領域のみ修正する処理は、上記修正すべき領域の各注目画素に対し、該注目画素を含み大きさが変化する可変型マスクを、該可変型マスク内に存在し、かつ、上記修正すべき領域外に位置する画素を正常画素とし、該正常画素の数が予め定められた値以上となるまで拡大し、拡大された該可変型マスク内の正常画素の画像データを用いて該注目画素の画像データを修正する処理である。
【０１１２】
それゆえ、このようなプログラムによってコンピュータ（例えば画像修正装置）を実行させたときには、画素数の減った状態で傷部を修正するので、原画像サイズで傷部を修正する場合に比べ、画像修正を迅速に行うことができる。しかも、傷部の修正は手動ではなく修正手段の演算で行うことが可能なので、画像修正の迅速化の効果をより一層高めることができるという効果を奏する。
【０１１３】
また、オペレータは、修正すべき第１領域を例えばマウスで指定するだけでよく、修正データを手動で入力したりする必要はない。したがって、修正を行うオペレータが熟練者に制限されてしまうことがなく、誰にでも簡単に画像修正を行うことができるという効果を併せて奏する。
【図面の簡単な説明】
【図１】  本発明に係る画像修正装置および上記画像修正装置を含むデジタル露光システムの概略の構成を示すブロック図である。
【図２】  傷やほこりの付いた写真フィルムを読み取って得られる原画像を示す説明図である。
【図３】  上記原画像を縮小した縮小画像を示す説明図である。
【図４】  可変型マスクの一例を示す説明図である。
【図５】  傷消し画像における修正領域の拡大部分と原画像とを合成した画像を示す説明図である。
【図６】  傷を修正する動作の流れを示すフローチャートである。
【図７】  傷を修正する動作の流れを示すフローチャートである。
【符号の説明】
１    フィルムスキャナ（外部装置）
２    画像修正装置（コンピュータ）
４    原画像縮小部（縮小手段）
５    入力部（指定手段、入力手段）
６    傷領域修正部（修正手段）
７    画像拡大部（拡大手段）
８    画像合成部（合成手段）
１５    傷
１６    原画像
１７    縮小画像
１８    傷
１９    領域（第１領域）
２０    画素
２１    画像
２２    領域
【図１】
0003785860.tif 000002
【図２】
0003785860.tif 000003
【図３】
0003785860.tif 000004
【図４】
0003785860.tif 000005
【図５】
0003785860.tif 000006
【図６】
0003785860.tif 000007
【図７】
0003785860.tif 000008